(57)【特許請求の範囲】
【請求項１】
内容物を収納する筒体と、この筒体に収納された内容物を保持して当該筒体の内側を進退可能な中皿と、この中皿を貫通する軸部を有して当該軸部の下端に設けられた摘み部の回転により前記中皿を昇降させる回転部材とを備える繰出し容器であって、
前記回転部材の軸部に、前記筒体の内周面に形成されたラック部に係合する爪部を備え、当該爪部が前記ラック部を乗り越えることで前記筒体に対する前記軸部の回転を一方向のみ許容する係止部材を設け、
当該係止部材は、前記軸部を保持する保持面を有して当該保持面が前記軸部の回転に応じて当該回転を許容する方向に変形及び復元の可能な保持部を備えることを特徴とする、繰出し容器。
【請求項２】
請求項１において、前記保持部は、前記軸部を、変形及び復元可能に挟持する２つの梁部であることを特徴とする、繰出し容器。
【請求項３】
請求項２において、前記梁部は、軸部を挟持する湾曲部分を有し、当該湾曲部分が湾曲し始める部分を可動部分としてなることを特徴とする、繰出し容器。
【請求項４】
請求項１乃至３のいずれか１項において、前記摘み部を、当該摘み部の回転が許容されるよう、前記筒体の下端側内周面に嵌合させたことを特徴とする、繰出し容器。
【発明の詳細な説明】
【技術分野】
【０００１】
本発明は、口紅容器に代表されるように、摘み部の回転方向に応じて内容物を筒体から繰り出し又は引き戻すことができる、繰出し容器に関するものである。
【背景技術】
【０００２】
従来の繰出し容器としては、例えば、筒体に収納された中皿を、筒体の下側に配置した摘み部の回転方向に応じて昇降させることで、筒体に収納された固形の内容物を繰り出し又は引き戻すものがある（例えば、特許文献１参照）。
【先行技術文献】
【特許文献】
【０００３】
【特許文献１】実公平０２−３３６９７号公報
【発明の概要】
【発明が解決しようとする課題】
【０００４】
従来の繰出し容器によれば、内容物の繰出し又は引戻しは、摘み部の回転方向に応じてスムーズに行うことができる。
【０００５】
しかしながら、使用者によっては、摘み部を回転させて内容物を繰出したとき、その繰出し動作が体感できることを望む場合もあることも事実であるが、従来の繰出し容器では、こうした感覚的な要求に対応することができない。
【０００６】
これに対し、本願発明者は、回転部材にラチェット機構を採用することで、内容物の繰出しを体感できることを見出した。
【０００７】
ところが、ラチェット機構を採用した場合、内容物の繰出しは可能であるものの、その引き戻しができなくなるという、新たな問題に直面するに至った。
【０００８】
本発明の目的とするところは、内容物の繰出し又は引戻しという基本的な機能を損なうことなく、内容物の繰出しの際及び引戻しの際に、その繰出し及び引戻しを体感することができる、新規な繰出し容器を提供することにある。
【課題を解決するための手段】
【０００９】
本発明は、内容物を収納する筒体と、この筒体に収納された内容物を保持して当該筒体の内側を昇降可能な中皿と、この中皿を貫通する軸部を有して当該軸部の下端に設けられた摘み部の回転により前記中皿を昇降させる回転部材とを備える繰出し容器であって、
前記回転部材の軸部に、前記筒体の内周面に形成されたラック部に係合する爪部を備え、当該爪部が前記ラック部を乗り越えることで前記筒体に対する前記軸部の回転を一方向のみ許容する係止部材を設け、
当該係止部材は、前記軸部を保持する保持面を有して当該保持面が前記軸部の回転に応じて当該回転を許容する方向に変形及び復元の可能な保持部を備えることを特徴とするものである。
【００１０】
本発明によれば、前記保持部を、前記軸部を、変形及び復元可能に挟持する２つの梁部とすることができる。
【００１１】
本発明によれば、前記摘み部を、当該摘み部の回転が許容されるよう、前記筒体の下端側内周面に嵌合させることができる。
【発明の効果】
【００１２】
本発明によれば、係止部材の爪部が筒体のラック部を乗り越えることができる方向に、摘み部を介して回転部材を回転させると、爪部がラック部を乗り越える際に、クリック感が得られる。なお、ここで、クリック感とは、例えば、爪部がラック部を乗り越えたときの乗り越え感や、乗り越え時に発せられる音などをいう。
【００１３】
これに対し、摘み部を介して回転部材を反対方向に回転させると、爪部がラック部に引っ掛かることで、その回転が阻止されるが、軸部を保持する保持部が変形及び復元するため、保持部を変形させることで得られる締め付け感や、変形後に復元されるときの戻り感を感じながら、係止部材に対する軸部の逆回転が許容される。即ち、摘み部を介して回転部材を回転させることで、この回転方向に応じて中皿を昇降させるという機能そのものは損なわれない。
【００１４】
従って、内容物を繰り出し又は引き戻すという基本的な機能を損なうことなく、内容物の繰出しの際及び引戻しの際に、その繰出し、及び引戻しを体感することができる。
【００１５】
また、前記保持部を、前記軸部を、変形及び復元可能に挟持する２つの梁部とすれば、軸部周りでの変形及び復元を、材質的に実現させるだけでなく、機械的にも実現させることができる。これにより、係止部材に用いる材質に自由度を持たせることができるため、適用範囲の拡大を図ることができる。
【００１６】
また、梁部にそれぞれ、軸部の扁平部位を挟持する挟持面を形成する湾曲部分を設け、この湾曲部分が湾曲し始める部分を可動部分とすれば、当該可動部分を起点として、軸部を挟持する部分での変形及び復元が容易になる。
【００１７】
更に、前記摘み部を、当該摘み部の回転が許容されるよう、前記筒体の下端側内周面に嵌合させれば、摘み部の回転に応じた内容物の繰出し及び引戻しを、安定感をもって実現することができる。
【図面の簡単な説明】
【００１８】
【図１】本発明の第１の形態である、口紅容器を一部断面で示す側面図である。
【図２】図１の要部を拡大して示す断面図である。
【図３】図１のＡ−Ａ断面図である。
【図４】同形態に係る回転部材が、同形態に係る係止部材と共に一体的に回転する際の状態を示す図１のＢ−Ｂ断面図である。
【図５】同形態に係る回転部材が、同形態に係る係止部材に対して空転する際の状態を示す図１のＢ−Ｂ断面図である。
【図６】本発明の第２の形態である、口紅容器の要部断面図である。
【発明を実施するための形態】
【００１９】
以下、図面を参照して、本発明の一形態である、口紅容器を詳細に説明する。
【００２０】
符号１は、固形の内容物たる口紅Ｌを収納する筒体である。筒体１の内周面には、図１や図３に示すように、軸線Ｏ周りに複数の縦リブ１ａが形成されている。また、筒体１の底部１ｂには、図２に示すように、後述の軸部４ａが貫通する開口部Ａが形成されている。
【００２１】
また、筒体１の下端内周面には、図４に示すように、軸線Ｏ周りに、その全周に亘ってラック部２が形成されている。ラック部２は、同図に示すように、軸線Ｏ周りに、同一方向に傾斜した複数の歯２ａからなる。
【００２２】
符号３は、図１に示すように、筒体１に収納された口紅Ｌを保持して、この筒体１の内側を進退可能な中皿である。中皿３は、口紅Ｌを保持するための凹部３ａを有し、その外周縁には、図３に示すように、筒体１に設けた縦リブ１ａと摺動可能に嵌合する凹部３ｂが形成されている。これにより、中皿３は、筒体１の内側を縦リブ１ａに沿って昇降させることができる。
【００２３】
符号４は、図１等に示すように、中皿３を貫通する軸部４ａを有して、この軸部４ａの下端に固定された摘み部４ｂの回転により中皿３を昇降させる回転部材である。軸部４ａは、おねじ部４ｃを有し、このおねじ部４ｃが中皿３の中心に形成されためねじ孔３ｃにねじ付けられている。これにより、中皿３は、摘み部４ｂを介して回転部材４を回転させることにより、その回転方向に応じて筒体１内を昇降する。
【００２４】
また、軸部４ａは、図２に示すように、底部１ｂに形成された開口部Ａを形作る、複数の突起１ｃによって回転可能に保持されている。加えて、軸部４ａには、図２に示すように、摘み部４ｂとの連結部分に、図４に示すように、扁平な断面形状の部位（以下、「扁平部位」）Ｒが形成されている。
【００２５】
符号５は、回転部材４を操作したとき、その回転方向に応じて、クリック感を与える係止部材である。係止部材５は、ラック部２を構成する複数の歯２ａそれぞれと乗り越え可能に係合する２つの爪部５ａを有する。２つの爪部５ａはそれぞれ、図４等に示すように、軸線Ｏを挟んで対向する位置に配置されている。
【００２６】
また、２つの爪部５ａはそれぞれ、図４に示すように、軸線Ｏ周りに同一方向に傾斜し、ラック部２を構成する複数の歯２ａそれぞれも、軸線Ｏ周りに同一方向に爪部５ａと反対方向に傾斜する。これにより、２つの爪部５ａはそれぞれ、歯２ａの傾斜面に沿って当該歯２ａを乗り越える際には係止部材５の回転が許容され、その側端面が歯２ａの側端面に引っ掛かる際には、係止部材５の回転が規制される。
【００２７】
即ち、２つの爪部５ａ及びラック部２は、２つの爪部５ａがラック部２を構成する複数の歯２ａをそれぞれ乗り越えることで、中皿３を上昇させる方向の回転のみを許容する。
【００２８】
また、２つの爪部５ａの間には、軸部４ａを保持する保持面５ｆを有して当該保持面５ｆが軸部４ａの回転に応じて変形及び復元可能な保持部Ｃが設けられている。本形態において、保持部Ｃは、軸部４ａに設けられた扁平部位Ｒを挟持する挟持面を保持面５ｆとして、変形及び復元の可能な２つの梁部５ｂである。
【００２９】
これにより、摘み部４ｂを介して回転部材４を、係止部材５の爪部５ａがそれぞれ、ラック部２を構成する複数の歯２ａを乗り越える方向に回転させれば、図４に示すように、２つの梁部５ｂはそれぞれ、軸部４ａに設けられた扁平部位Ｒの平坦面４ｆを挟持した状態を維持することから、回転部材４と係止部材５とは一体に回転する。
【００３０】
従って、摘み部４ｂを介して回転部材４を、係止部材５の爪部５ａがそれぞれ、ラック部２を構成する複数の歯２ａをそれぞれ乗り越える方向に回転させれば、クリック感と共に中皿３を上昇させることができる。
【００３１】
これに対し、摘み部４ｂを介して回転部材４を、係止部材５の爪部５ａがそれぞれ、ラック部２を構成する複数の歯２ａのうち、いずれか１つに引っ掛かる方向に回転させれば、２つの梁部５ｂはそれぞれ、図６に示すように、軸部４ａに設けられた扁平部位Ｒの平坦面４ｆによって、２つの梁部５ｂを連結して爪部５ａが設けられた部位５ｄと共に、外向きに広がる方向に変形した後、再び、図４に示すように、平坦面４ｆを挟持した状態に戻ることを繰り返すことから、回転部材４は係止部材５に対して空転する。
【００３２】
従って、摘み部４ｂを介して回転部材４を反対方向に回転させると、梁部５ｂを変形させることで得られる締め付け感や、変形後に復元されるときの戻り感を感じながら、係止部材５に対する軸部４ａの逆回転が許容される。即ち、摘み部４ｂを介して回転部材４を逆回転させれば、繰出しの際に得られるクリック感とは異なる感覚を得つつも、中皿３を下降させることができる。
【００３３】
特に、本形態に係る、梁部５ｂはそれぞれ、保持面５ｆとして、軸部４ａの扁平部位Ｒを挟持する挟持面（以下、「挟持面５ｆ」）を形成する湾曲部分を有し、この湾曲部分が湾曲し始める部分を可動部分５ｃとしてなる。これにより、扁平部位Ｒが回転することで、２つの梁部５ｂの湾曲部分をそれぞれ押し広げようとすると、当該梁部５ｂはそれぞれ、２つの可動部分５ｃを起点として、軸部４ａを挟持する湾曲部分での変形及び復元が容易になる。
【００３４】
上述のとおり、本形態によれば、係止部材５の爪部５ａがラック部２ａを構成する複数の歯２ａを乗り越え可能な方向に、摘み部４ｂを介して回転部材４を回転させると、爪部５ａがラック部２を構成する複数の歯２ａのうち、いずれか１つを乗り越えたときの乗り越え感や、乗り越え時に発せられる音などとして体感される、いわゆるクリック感が得られる。
【００３５】
これに対し、摘み部４ｂを介して回転部材４を反対方向に回転させると、爪部４ａがラック部５を構成する複数の歯５ａのうち、いずれか１つに引っ掛かることで、その回転が阻止されるが、軸部３ａを挟持する２つの梁部５ｂが変形及び復元するため、保持部Ｃとしての梁部５ｂを変形させることで得られる締め付け感や、変形後に復元されるときの戻り感を感じながら、係止部材５に対する軸部４ａの回転は許容される。即ち、摘み部４ｂを介して回転部材４を回転させることで、この回転方向に応じて中皿３を昇降させるという機能そのものは損なわれない。
【００３６】
従って、口紅Ｌを繰り出し又は引き戻すという基本的な機能を損なうことなく、口紅Ｌの繰出しの際及び引戻しの際に、その繰出し、及び引戻しを体感することができる。
【００３７】
また、本形態の如く、保持部Ｃを、軸部４ａを、変形及び復元可能に挟持する２つの梁部５ｂとすれば、軸部４ａ周りでの変形及び復元を、材質的に実現させるだけでなく、機械的にも実現させることができる。これにより、係止部材５に用いる材質に自由度を持たせることができるため、適用範囲の拡大を図ることができる。
【００３８】
また、梁部５ｂにそれぞれ、軸部４ａの扁平部位Ｒを挟持する挟持面５ｆを形成する湾曲部分を設け、この湾曲部分が湾曲し始める部分を可動部分５ｃとすれば、当該可動部分５ｃを起点として、軸部４ａを挟持する部分での変形及び復元が容易になる。
【００３９】
図６は、第１の形態の変形例としての、本発明の第２の形態である。なお、以下の説明において、第１の形態と同一部分は同一符号をもって、その説明を省略する。
【００４０】
本形態では、摘み部４ｂを、この摘み部４ｂの回転が許容されるよう、筒体１の下端側内周面に設けた環状凹部１ｄに、摘み部４ｂに設けた環状リブ４ｄに嵌合させている。この場合、摘み部４ｂの回転に応じた口紅Ｌの繰出し及び引き戻しを、安定感をもって実現することができる。なお、同構成は、筒体１に設けた環状リブを摘み部４ｂに設けた環状凹部に嵌合させることでも実現できる。
【００４１】
上述したところは、本発明の一形態を示したに過ぎず、特許請求の範囲内において、種々の変更を加えることができる。例えば、係止部材５に係る、梁部５ａは、変形及び復元が可能であれば、必ずしも弾性材料で構成する必要は無い。また、本形態では、２つの梁部５ｂを連結して爪部５ａが設けられた部位５ｄと共に変形及び復元するが、部位５ｄそのものも併せて、変形及び復元するものとすることもできる。本発明に従えば、係止部材５は、爪部５ａの間を軸部４ａの扁平部位Ｒと嵌合する貫通孔が形成された弾性材料からなる弾性部とすることで、当該貫通孔の形状が扁平部位Ｒの動きによって変形及び復元するように構成することも可能である。更に、上述の各形態に採用された各構成はそれぞれ、互いに適宜、組み合わせることができる。
【産業上の利用可能性】
【００４２】
本発明は、口紅等の化粧料を固化させてなるものに限らず、例えば、薬剤や糊等を固化させてなるものも、内容物として適用することができる。
【符号の説明】
【００４３】
１    筒体
１ａ  中皿昇降用の案内縦リブ
１ｂ  底部
１ｃ  軸部保持用の突起
１ｄ  環状凹部
２    ラック部
２ａ  ラック部を構成する歯
３    中皿
３ａ  口紅保持用の凹部
３ｂ  中皿昇降用の案内凹部
３ｃ  めねじ部
４    回転部材
４ａ  軸部
４ｂ  摘み部
４ｃ  おねじ部
４ｄ  環状リブ
５    係止部材
５ａ  爪部
５ｂ  梁部
５ｃ  可動部分
Ｒ    軸部の扁平断面形状部位
【図１】
0005394170.tif 000002
【図２】
0005394170.tif 000003
【図３】
0005394170.tif 000004
【図４】
0005394170.tif 000005
【図５】
0005394170.tif 000006
【図６】
0005394170.tif 000007